(57)【要約】【課題】  本考案は、兄の経営する会社（ガ−デン業、造園業）で、年末に門松を２５０対位製造して貸し出しています。どんと祭後に門松を回収しますが、その後の竹の処理を特に利用目的が無い為、畑に山積にしておき随時自己焼却していました。私（弟）がいろいろ思案していた処、地震が多いのに気付き、軽量で且つ安全性に優れ自然に調和した垣根が良いかと考えました。理由としまして、ブロック塀及び石塀では重量感あり非常に危険と思い創意工夫の結果、丸竹垣根の考案になりました。【解決手段】竹の寿命の耐久策として、竹の上部切口を雨や雪等によって濡れるのを防止する為、上部に屋根を上げることによって更に耐用年数が延びると考え、これにより上記課題を解決するものである。【選択図】図７
0003130350.tif 000002
【実用新案登録請求の範囲】
【請求項１】
丸竹（割らない状態）に上段と下段各１ヶ所に横穴を開け、２本の横鉄筋を用いて、柱竹より輪竹・中間竹の順に組立て、次より輪竹と中間竹を繰り返し１ｍ位組立て最後に柱竹にして、組立てたものを縦に立てて、事前に立てた柱芯鉄筋に両端の柱竹を差し、柱竹の中にコンクリ−トを挿入して固定した事を、特徴とする丸竹垣根。
【請求項２】
コンクリート及びブロックの基礎上に設置の場合、竹の耐久性を高める為、両柱竹以外の中間竹の下部切口の左右を少々斜めに切断して風通しを良くし、切口の腐食を防止すると共に、竹の上部に屋根を上げることにより、竹の強度対策になることを特徴とする請求項１記載の丸竹垣根。
【請求項３】
樹脂で製造になりますと、更に耐久性に優れ見栄えが良く、風情のある垣根になると思います。
【考案の詳細な説明】
【技術分野】
【０００１】  本考案は、鉄筋により竹を組合せコンクリ−トによって固定し、上部に板材を用いて屋根を形成、最上部は樹脂を張り付けた丸竹垣根に関する。
【背景技術】
【０００２】  太さ１０ｃｍ位長さ６０ｃｍの竹で、上下切り口より１３ｃｍの位置に横穴を開け、幅１ｍ位で両端を柱とする。柱竹以外の中間竹は、切り口下部になる部分を少々斜めに切断して換気を良くします。この方法で３分鉄筋を用い、横穴を開けた中間竹と輪竹によって成立ます。組立て方法について、上段横鉄筋と下段横鉄筋に、柱竹の上段と下段の穴を通し、次に輪竹を上段と下段の横鉄筋に通し、更に中間竹の上段と下段の穴を通します。輪竹と中間竹を繰り返し通し、１ｍ位になりましたら柱竹の穴を通し組立が終わります。設置になりますが、予め出来ているコンクリ−ト基礎に、ドリルで穴を開けて柱の芯鉄筋を差し込み立てます。次に柱竹の部分を、芯鉄筋に被せ立てます。柱竹の中に、コンクリ−トを挿入して出来上がりです。但し、組立て方は、平面にて組み合わせた方が良いと思います。
【考案の開示】
【考案が解決しようとする課題】
【０００３】  しかしながら、竹と云うものは割れやすい為、耐久性に優れず屋根を上げることにより、強度が保たれます。
【課題を解決するための手段】
【０００４】  本考案は、竹の割れを防止する為、６ヶ月ほど陰干しをして充分に乾燥をさせる。次に横穴を開け鉄筋を差し込み、竹と竹の間の鉄筋に３ｃｍ位の輪竹を被せると、錆を防げる。
【考案の効果】
【０００５】  本考案に係る竹は、環境に好ましく軽量であること。従来はシュロ縄で結わえていたが腐食しやすく、鉄筋による組立て方法で強度が増すことになる。更にコンクリ−トで固定することによって、腐食を防止し修復がほとんど必要がないことである。中間竹の隙間を考案したのは、例えば内側の生物に対して通風が良いこと、或いは防犯的にも良く、更に垣根の高低を設置場所によって変えることが出来て、実用性に優れたものである。
【考案を実施するための最良形態】
【０００６】  図１の１の柱竹に示すように、２の穴と３の穴に図２の８と９の横鉄筋を差し込み図３の１０と１１の輪竹を図２の８と９の横鉄筋にそれぞれ差します。次に図１の５の中間竹の６と７の穴を、図２の８と９の横鉄筋に通します。このように横鉄筋に輪竹と中間竹を繰り返し組立て、１ｍ位になりましたら図１の１の柱竹を、図２の８と９の横鉄筋に差し込みます。
【０００７】  図３まで組立て後、図４の１４のコンクリ−ト基礎に、ドリルで深さ１０ｃｍ位の穴を柱竹の間隔に穴を各１ヶ所開けます。その穴へ、図４の１２と１３の柱芯鉄筋を差し込んで立てます。次に図３まで組立てたのを、両端の柱芯鉄筋に柱竹の部分を被せ立てます。次に両端の柱竹に、図５の１５コンクリ−トを挿入し、図７の屋根木材を長スクリュ−ネジで固定する為、コンクリ−トが入った柱竹の上部中央に、図６の１６のスクリュ−ネジ受け木を入れて乾かします。
【０００８】  屋根の取り付けになりますが、柱竹に入れた図５の１５コンクリ−トが乾き次第、図７の１９厚い板材と図７の２０タルキ材を重ねて上げます。両柱竹の受け木に、図７の２０タルキ材より図６の１７長スクリュ−ネジで図１の１柱竹（両端柱）に固定します。次に図８の２２塩ビ雨樋を逆さにしたものを図７の１９と２０に被せ、図７の１９タルキ材の横に図８の２３へ図６の１８短スクリューネジで固定し、上記工程により完成した本考案を、図９丸竹垣根といいます。
【０００９】  図９に示すように、設置してみて家屋とか風景に良く調和して、ほんとうに自然さを感じさせられると痛感しました。
【産業上の利用可能性】
【００１０】  施工場所により、幅広く設置される場合、柱竹の中心で横鉄筋を繋ぎ合わせ組立る。【００１１】  上記工程により、竹はもとより樹脂にて製造され、見本、或いは写真を見ることによって設置してみたいという気持ちに駆られるなど、利用価値が更に高まると感じます。
【図面の簡単な説明】
【００１２】
【図１】〔図３〕は本考案に係る丸竹垣根製造における工程図である。
【図２】〔図４〕は本考案に係る一部を構成する工程図である。
【図５】〔図６〕は本考案に係る一部を固定する工程図である。
【図７】〔図８〕は本考案に係る耐久対策の工程図である。
【図９】は本考案に係る丸竹垣根の正面図である。
【符号の説明】
【００１２】  １    柱竹                              １３    柱芯鉄筋
２    穴                                １４    コンクリ−トの基礎
３    穴                                １５    コンクリ−ト
４    スクリュ−ネジ受け木              １６    スクリュ−ネジ受け木
５    中間竹                            １７    長スクリュ−ネジ
６    穴                                １８    短スクリュ−ネジ
７    穴                                １９    厚い板材
８    上段横鉄筋                        ２０    タルキ材
９    下段横鉄筋                        ２１    長スクリュ−ネジ
１０    輪竹                              ２２    塩ビ雨樋
１１    輪竹                              ２３    短スクリュ−ネジ
１２    柱芯鉄筋
【図１】
0003130350.tif 000003
【図２】
0003130350.tif 000004
【図３】
0003130350.tif 000005
【図４】
0003130350.tif 000006
【図５】
0003130350.tif 000007
【図６】
0003130350.tif 000008
【図７】
0003130350.tif 000009
【図８】
0003130350.tif 000010
【図９】
0003130350.tif 000011
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
丸竹（割らない状態）に上段と下段各１ヶ所に横穴を開け、２本の横鉄筋を用いて、柱竹より輪竹・中間竹の順に組立てます。次に、輪竹と中間竹を繰り返し１ｍ程に組立て、最後に柱竹にします。組立てたものを縦に立てて、事前に立てた柱芯鉄筋に両端の柱竹を差し、柱竹の中にコンクリ−トを挿入し固定した事を特徴とする丸竹垣根。
【請求項２】
コンクり−ト及びブロックの基礎上に設置の場合、竹の耐久性を高める為、両柱竹以外の中間竹の下部切口の左右を、少々斜めに切断します。風通しを良くし切口の腐食を防止すると共に、竹の上部に屋根を上げることで、竹の強度対策になることを特徴とする請求項１記載の丸竹垣根。
【請求項３】
竹はマダケ属に科し、稈は肉厚で筋は太く、一定の間隔の節によって形成されています。本竹を一定の期間、陰干しで自然乾燥することによって、割れにくく硬く、軽量且つ強固な竹になります。
【手続補正２】
【補正対象書類名】明細書
【補正対象項目名】００１１
【補正方法】変更
【補正の内容】
【００１１】  本考案に係る、柱竹・輪竹・中間竹の部分を樹脂にて製造し、鉄筋で組立られ、屋根を上げることによって、ブロック塀及び石塀に勝るとも劣らない、軽くて安全性に優れ耐久性のある垣根になると感じられます。
【手続補正３】
【補正対象書類名】明細書
【補正対象項目名】００１２
【補正方法】変更
【補正の内容】
【図面の簡単な説明】
【００１２】
【図１】は本考案に係る丸竹垣根製造における工程図である。
【図２】は本考案に係る一部を構成する工程図である。
【図３】は本考案に係る丸竹垣根製造における工程図である。
【図４】は本考案に係る一部を構成する工程図である。
【図５】は本考案に係る一部を固定する工程図である。
【図６】は本考案に係る一部を固定する工程図である。
【図７】は本考案に係る耐久対策の工程図である
【図８】は本考案に係る耐久対策の工程図である
【図９】は本考案に係る丸竹垣根の正面図である。
【手続補正４】
【補正対象書類名】明細書
【補正対象項目名】００１３
【補正方法】追加
【補正の内容】
【符号の説明】
【００１３】
１    柱竹
２    穴
３    穴
４    スクリュ−ネジ受け木
５    中間竹
６    穴
７    穴
８    上段横鉄筋
９    下段横鉄筋
１０    輪竹
１１    輪竹
１２    柱芯鉄筋
１３    柱芯鉄筋
１４    コンクリ−トの基礎
１５    コンクリ−ト
１６    スクリュ−ネジ受け木
１７    長スクリュ−ネジ
１８    短スクリュ−ネジ
１９    厚い板材
２０    タルキ材
２１    長スクリュ−ネジ
２２    塩ビ雨樋
２３    短スクリュ−ネジ
【手続補正５】
【補正対象書類名】図面
【補正対象項目名】全図
【補正方法】変更
【補正の内容】
【図１】
0003130350.tif 000012
【図２】
0003130350.tif 000013
【図３】
0003130350.tif 000014
【図４】
0003130350.tif 000015
【図５】
0003130350.tif 000016
【図６】
0003130350.tif 000017
【図７】
0003130350.tif 000018
【図８】
0003130350.tif 000019
【図９】
0003130350.tif 000020
【手続補正書】
【提出日】平成18年7月19日(2006.7.19)
【手続補正１】
【補正対象書類名】実用新案登録請求の範囲
【補正対象項目名】全文
【補正方法】変更
【補正の内容】
【実用新案登録請求の範囲】
【請求項１】
丸竹（割らない状態）に上段と下段各１ヶ所に横穴を開け、柱竹の開穴部に横鉄筋を通し、輪竹と中間竹を交互に組立て、１ｍ程度の間隔で柱竹を設け、コンクリ−ト及びブロックの基礎上に、事前に立てた柱芯鉄筋に柱竹部分を差し込み、柱竹の中にコンクリ−トを挿入して、固定したことを特徴とする丸竹垣根。
【請求項２】
竹の耐久性等を高める為、柱竹以外の中間竹の下部切口を、横穴に対して、左側と右側を少々斜めに切断して風通しを良くし、切口の腐食を防止すると共に、竹の上部に屋根を上げることにより強度を高め向上させた、請求項１に記載の丸竹垣根。
【請求項３】
請求項１並びに請求項２において、竹材を樹脂で製造することにより、長期の耐用年数を有することを特徴とする垣根。
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
丸竹に上段と下段各１ヶ所に横穴を開け、柱竹の開穴部に横鉄筋を通し、輪竹と中間竹を交互に組立て、１ｍ程度の間隔で柱竹を設け、コンクリ−ト及びブロックの基礎上に、事前に立てた柱芯鉄筋に柱竹部分を上方より差し込み、柱竹の中にコンクリ−トを挿入して、固定したことを特徴とする丸竹垣根。
【請求項２】
竹の耐久性等を高める為、柱竹以外の中間竹の下部切口を、横穴に対して、左側と右側を少々斜めに切断して風通しを良くし、切口の腐食を防止すると共に、竹の上部に屋根を上げることにより強度を高め向上させた、請求項１に記載の丸竹垣根。
【請求項３】
竹材を樹脂で製造することにより、長期の耐用年数を有することであることを特徴とする、請求項１に記載の丸竹垣根。